(57)【特許請求の範囲】
【請求項１】
股下部（１１）から前身頃（１２）及び後身頃（１３）にかけて配置された吸収体（２０）と，
前記吸収体（２０）の肌当接面側を覆う液透過性の吸収体トップシート（２１）と，
前記吸収体（２０）の肌非当接面側を覆う液不透過性の吸収体バックシート（２２）と，
前記吸収体トップシート（２１）の肌当接面側に積層される保護シート（２３）と，
前記吸収体トップシート（２１）と前記保護シート（２３）の間に配置され，体液が接触したときに，該体液のｐＨに応じて色相が変化する色素を含む親水性組成物（１）と，
前記色素の色相が変化する範囲の色見本を有するカラーチャート（２）と，を有し，
前記親水性組成物（１）は，体液のｐＨに応じて色素の色相が無段階に変化するように，変色域が異なる２種類以上の色素を含み，
前記保護シート（２３）は，織布又は不織布からなり，前記吸収体トップシート（２１）側の片面のみが撥水性を有するものである
吸収性物品。
【請求項２】
前記色素及び前記照合カラーチャート（２）は，前記吸収性物品の肌当接面側及び肌非当接面側から視認されるように配置される
請求項１に記載の吸収性物品。
【発明の詳細な説明】
【技術分野】
【０００１】
本発明は，吸収性物品に関する。具体的に説明すると，本発明は，体液のｐＨにより変色する色素を含む親水性組成物と，体液のｐＨ変色域を示すカラーチャートを有する吸収性物品に関するものである。
【背景技術】
【０００２】
従来から，体液のｐＨに応じて色相が変化する色素を含む吸収性物品が知られている。従来の吸収性物品においては，色素の色相から，健康状態や体調を判断したり，吸収性物品の取り替え時期を判断することができる。
【０００３】
特許文献１から４には，体調に応じて変動する体液のｐＨ変化を検知することによって健康状態を目視的に判定可能な吸収性物品が開示されている。吸収性物品は，特定のｐＨ域で変色する色素を含有している。吸収性物品は，体液のｐＨ値に応じて異なる色相を示し，これにより，体液のｐＨを判別することができる。使用者は，体液のｐＨ値から，健康状態を判断することができる。
【先行技術文献】
【特許文献】
【０００４】
【特許文献１】特開２０００−２７９４４２号公報
【特許文献２】特開平８−７１１０１号公報
【特許文献３】特開平７−８８１２８号公報
【特許文献４】特開２００２−１１０３８号公報
【発明の概要】
【発明が解決しようとする課題】
【０００５】
しかしながら，従来のｐＨ変化によって変色する色素を含有する吸収性物品においては，使用者又は介助者が体液のｐＨ値を判別するために，色相が対応するｐＨの値を，資料や説明書等で調べる必要があった。このため，使用者又は介助者は，色素の色相から即時にｐＨの値を判別できず，使用者の健康状態を即時に目視判断することができないという問題があった。
【０００６】
また，従来の吸収性物品においては，色素を含有する吸収性物品が体液を吸収してから，色相が対応するｐＨ値を判別するまでに時間を要していたため，時間経過と共に吸収性物品の色相が変化することがあった。このため，体液の正確なｐＨ値を割り出すことができないという問題があった。
【０００７】
このため，現在は，ｐＨ変化によって変色する色素の色相から，即時かつ正確にｐＨの値を判別することができる吸収性物品が求められている。
【課題を解決するための手段】
【０００８】
そこで，本発明者は，上記従来技術の問題点を解消するために鋭意検討した結果，体液が接触したときに体液のｐＨに応じて色相が変化する色素を含む親水性組成物１と，色素の色相が変化する範囲の色見本を有するカラーチャート２を有する吸収性物品を得ることにより，親水性組成物１の色相から，即時かつ正確にｐＨの値を判別することができるという知見を得た。
具体的に，本発明は，以下の構成を有する。
【０００９】
本発明は，体液が接触したときに，体液のｐＨに応じて色相が変化する色素を含む親水性組成物１と，色素の色相が変化する範囲の色見本を有するカラーチャート２とを有する吸収性物品に関するものである。
【００１０】
上記構成のように，吸収性物品が，体液が接触したときに，体液のｐＨに応じて色相が変化する色素を含む親水性組成物１と，色素の色相が変化する範囲の色見本を有するカラーチャート２とを有することによって，色素の色相から，即時かつ正確にｐＨの値を判別することができる。これにより，使用者又は介助者は，体液等のｐＨ値を判別するために，色相が対応するｐＨ値を，資料や説明書等で調べることなく，使用者の健康状態を即時に目視判断することができる。
体液のｐＨの値を容易に判別することができれば，吸収性物品の使用者の健康状態を素早く把握することができ，万が一異常がある場合は，すぐに治療等の処置を行うことができる。
【００１１】
本発明の好ましい態様は，親水性組成物１が，吸収体トップシート２１と保護シート２３の間に配置されるものである。ここで，本発明に係る吸収性物品は，股下部１１から前身頃１２及び後身頃１３にかけて配置された吸収体と，吸収体の肌当接面側を覆う吸収体トップシート２１と，吸収体トップシート２１の肌当接面側に積層される保護シート２３を有するものである。
【００１２】
上記構成のように，親水性組成物１が，吸収体トップシート２１と保護シート２３の間に配置されることによって，色素を含有する親水性組成物１が使用者の肌に直接触れないようにすることができる。これにより，使用者の肌に色素が付着し，かぶれ等の皮膚炎を引き起こすことを防止することができる。
【００１３】
本発明の好ましい態様は，保護シート２３のうち，吸収体トップシート２１側の面は，撥水処理されているものである。
【００１４】
上記構成のように，保護シート２３のうち，吸収体トップシート２１側の面を，撥水処理することによって，色素を含有する親水性組成物１が使用者の肌に触れることを効果的に防ぐことができる。また，保護シート２３を通過する体液の液切れを良好にするため，保護シート２３上に体液が保持されず，使用者の着用感を向上させることができる。
【００１５】
本発明の好ましい態様は，色素の色相は，体液のｐＨに応じて段階的又は無段階的に変化するものである。
【００１６】
上記構成のように，色素の色相が，体液のｐＨに応じて段階的又は無段階的に変化することにより，体液の微妙なｐＨの変化をとらえることができ，正確に健康状態を知ることができる。
【００１７】
本発明の好ましい態様は，色素及びカラーチャート２は，吸収性物品の肌当接面及び肌非当接面から視認されるように配置されるものである。
【００１８】
上記構成のように，色素及びカラーチャート２を，吸収性物品の肌当接面からだけではなく肌非当接面からも視認されるように配置することで，使用者又は介助者は，体液のｐＨの値を，吸収性物品の肌非当接面側からも判別することができる。これにより，使用者は吸収性物品を着用した状態のままでも，ｐＨの値を判別することができる。使用者は，体液のｐＨの値を調べるためだけに，吸収性物品を脱着する必要がなくなり，使用者又は介助者の健康管理の負担を軽減することができる。
【発明の効果】
【００１９】
本発明は，体液が接触したときに体液のｐＨに応じて色相が変化する色素を含む親水性組成物１と，色素の色相が変化する範囲の色見本を有するカラーチャート２を有することにより，即時かつ正確に使用者の健康状態や体調をチェックすることができる。
【００２０】
また，本発明は，使用者が吸収性物品を着用したままの状態でも体液のｐＨを判別することができるため，使用者は体液のｐＨを判別する度に吸収性物品を脱着する必要がない。このため，介助者等が吸収性物品を脱着させる手間を省くことができ，健康管理の負担を軽減することができる。
【００２１】
さらに，本発明は，親水性組成物１が，吸収体トップシートと保護シートの間に配置されるため，色素を含有する親水性組成物１が使用者の肌に直接触れないようにすることができる。このため，使用者の肌に色素が付着し，かぶれ等の皮膚炎を引き起こすことを防止することができる。
【図面の簡単な説明】
【００２２】
【図１】図１は，テープ型使い捨ておむつの例を示す展開図である。
【図２】図２は，テープ型使い捨ておむつの例を示す展開図である。
【図３】図３は，テープ型使い捨ておむつの例を示す展開図である。
【図４】図４は，図１のＸ−Ｘ線に沿う拡大断面図である。
【発明を実施するための形態】
【００２３】
本発明は，体液が接触したときに体液のｐＨに応じて色相が変化する色素を含む親水性組成物１と，色素の色相が変化する範囲の色見本を有するカラーチャート２を有する吸収
性物品に関するものである。
【００２４】
吸収性物品は，尿などの体液吸収できる吸収体を備えたものである。吸収性物品は，吸収性物品を着用した者の尿などの体液を吸収する。吸収性物品は，シート状の吸収体本体のみで構成されても良く，吸収体を配置したシートの他に複数のシート状構造材を組み合わせたものでも良い。吸収性物品の例としては，使い捨ておむつ，生理用ナプキン，尿取りパット，汗取りパット及びおりものシートといったものがある。
以下，本発明の吸収性物品について，その好ましい実施形態である使い捨ておむつを例にとり，図面を参照して説明する。本発明は，以下に説明する形態に限定されるものではなく，以下の形態から当業者が自明な範囲で適宜修正したものも含む。
【００２５】
（１．吸収性物品の基本構成）
本実施形態の使い捨ておむつは，例えば，パンツ型の使い捨ておむつ又はテープ型の使い捨ておむつとすることができる。パンツ型の使い捨ておむつは，前身頃と後身頃の両側部が予め接合されたタイプの使い捨ておむつである。パンツ型の使い捨ておむつとしては，吸収性本体が載置される外装体が前身頃から後身頃に掛けて一体となった一体型のものであってもよいし，外装体が前身頃及び後身頃で分離され，前身頃外装体と後身頃外装体の間に吸収性本体が架橋された架橋型のものであってもよい。また，テープ型の使い捨ておむつは，前身頃又は後身頃の両側部に接着テープが取り付けられ，着用時に接着テープを利用して前身頃と後身頃を接着させるタイプの使い捨ておむつである。
【００２６】
図１は，テープ型の使い捨ておむつの例を示す展開図であり，使い捨ておむつ１００を，装着時において着用者の肌に当接する面（肌当接面）側から見た状態を示している。図１に示されるように，本実施形態のテープ型使い捨ておむつ１００は，装着時に着用者の腹部を覆う前身頃１２，着用者の背部を覆う後身頃１３，及び着用者の股下にあてがわれる股下部１１の各部から構成される。
【００２７】
本実施形態のテープ型使い捨ておむつ１００は，さらに，体液が接触したときに体液のｐＨに応じて色相が変化する色素を含む親水性組成物１と，色素の色相が変化する範囲の色見本を有するカラーチャート２を有する。使用者又は介助者は，体液が浸透した色素の色相とカラーチャート２を照らし合わせることで，体液のｐＨの値を即時に判別することができる。
【００２８】
股下部１１から，前身頃１２から後身頃１３にかけて，尿などの液体を吸収し保持するための吸収体２０が配設されている。この吸収体２０は，着用者の肌に当接する面（肌当接面）側から液透過性の吸収体トップシート２１によって被覆され，反対側の肌非当接面側から液不透過性の吸収体バックシート２２によって被覆されている。従って，尿などの液体は，吸収体トップシート２１を透過して，吸収体２０に吸収保持され，液透過性の吸収体バックシート２２によって外部への漏出が阻止される。
【００２９】
図２は，テープ型の使い捨ておむつの例を示す展開図であり，使い捨ておむつを，装着時において着用者の肌に当接しない面（肌非当接面）側から見た状態を示している。テープ型の使い捨ておむつ１００の前身頃１２及び後身頃１３には，左右両方向にサイドフラップ１５が延設されている。また，後身頃１３には，各サイドフラップ１５の側縁から突出するように止着テープ３０が取り付けられている。一方，前身頃１２の肌非当接面側には，止着テープ３０を止め付けるためのフロントパッチ４０が設けられている。このため，テープ型の使い捨ておむつ１００は，後身頃１３を着用者の背部にあてがい，前身頃１２を着用者の腹部にあてがった状態で，後身頃１３に取り付けられている止着テープ３０を，前身頃１２に設けられたフロントパッチ４０に止め付けることにより，着用者に装着することが可能である。
【００３０】
（２．吸収性物品の各部構成）
（２−１．親水性組成物）
親水性組成物１は，体液を吸収することができる。親水性組成物１は，吸収した体液のｐＨに応じて色相が変化する色素を含有する。使用者の体液が親水性組成物１の色素まで浸透すると，色素は，その体液のｐＨに応じて異なる色相を示す。色相とは，色の様相の相違のことをいう。色相は，特定の波長が際立っていることによる変化であり，際立った波長の範囲によって，赤や黄色といった色味の違いを示す。主要な色相として赤，黄，緑，青，紫などがある。
【００３１】
親水性組成物１は，１種類又は２種類以上の色素を有するものであっても良い。親水性組成物１が，１種類の色素を含有する場合，想定され得る体液のｐＨ領域が色素の変色域に入っていることが好ましい。想定され得る体液のｐＨ領域が色素の変色域から外れている場合は，体液のｐＨ値が正常又は異常時に特定の色相を示すこととしても良い。
親水性組成物１に１種類の色素を用いる場合，色素は，好ましくはｐＨ５．０〜７．０間で３以上の色差を有するものであり，より好ましくはｐＨ５．０〜７．０間で６以上の色差を有するものである。例えば，ｐＨ５．０〜ｐＨ５．６での色相が黄色である場合，ｐＨ５．７〜ｐＨ６．３での色相は黄色緑〜緑，ｐＨ６．４〜ｐＨ７．０での色相は青〜紫である。
【００３２】
親水性組成物１が，２種類以上の色素を含有する場合，親水性組成物１は，赤，オレンジ，黄，黄緑，青又は紫の色相を示すことができる。親水性組成物１に２種類以上の色素を含有させる場合，色素の変色域は各々異なっていることが好ましい。各々の色素の変色域が異なることで，親水性組成物１は広範囲にわたるｐＨ領域において色相を示すことができる。
親水性組成物１に色素を２種類以上用いる場合，色素は，好ましくはｐＨ４．５〜８．０間で４以上の色差を有するものであり，より好ましくはｐＨ４．５〜８．０間で６以上の色差を有するものである。例えば，ｐＨ４．５〜ｐＨ５．２での色相が赤色である場合，ｐＨ５．３〜ｐＨ５．９での色相はオレンジ，ｐＨ６．０〜ｐＨ６．６での色相は黄色，ｐＨ６．７〜ｐＨ７．２での色相は黄緑色，ｐＨ７．３〜ｐＨ８．０での色相は緑〜青である。
【００３３】
親水性組成物１に色素を２種類以上用いることにより，色素の色相を，体液のｐＨに応じて段階的又は無段階的に変化させることができる。色素の色相の段階的な変化とは，色相が，赤，オレンジ，黄，黄緑，緑，青又は紫といった色相に変化することをいい，各色相の間の中間色を示さない変化のことをいう。色素の色相の無段階的な変化とは，赤，オレンジ，黄，黄緑，緑，青又は紫といった各色相の中間色も示す変化のことをいう。
色素の色相を，体液のｐＨに応じて段階的又は無段階的に変化させることにより，体液の微妙なｐＨの変化をとらえることができ，正確に健康状態を知ることができる。
【００３４】
色素の種類は，特に限定されるものではないが，色素として，ニトラジンイエロー，クロルフェノールレット&#12441;，ブロモフェノールブルー，ブロモチモールブルー，コンコーレット&#12441;，γ−シニトロフェノール，レサスリン，メチルオレンジ，アリザリンＳ，ブロモクレゾールグリーン，メチルレッド，ブロモクレゾールパープル，ラクモイト，コチニール，ヘマトキシロン，ヘマトキシリン，エチルレット，フロムフェノールレット&#12441;，アリサリンレッド，ブロモチモールブルーといった色素を用いることができる。特に，ｐＨが３．０〜８．０で色が変化する色素は好適であり，ブロモフェノールブルー，メチルオレンジ，アリザリンＳ，ブロモクレゾールグリーン，メチルレッド，ブロモクレゾールパープルといった色素を用いることができる。これらの色素は，人体に対しての安全性も非常に優れている。色素は，２種類以上用いることが好ましく，呈色するｐＨ域が異なるものを組み合わせて用いることが好ましい。
【００３５】
これらの色素は，親水性組成物１の１００重量％に対して，０．１〜５０重量％，好ましくは０．５&#12316;３０重量％，より好ましくは，１重量％&#12316;１０重量％含有される。色素の量が０．１重量％に満たないと変色しても色が薄く，視認しづらくなることがあり好ましくない。一方，５０重量％を超えると親水性組成物１の変色前の色が濃すぎて外観がよくなく，更にコスト高になることがあるので上記範囲内とすることが好ましい。
【００３６】
色素は親水性組成物１の全体に分散して，含有させることが好ましい。色素は粉体状のものを親水性組成物１に噴霧して付着させても良いし，色素をインク化して親水性組成物１に付着させても良い。色素をインク化するには，カチオン基を有するヒドロゲル粒子に色素を吸着させ，必要に応じ表面を透湿，透水性皮膜で覆われた構成となる組成物とすれば良い。この組成物には，体液吸収用当て材に固着させるための適当なバインダーを併用しても良い。なお，ヒドロゲル粒子としては，アクリル酸・アクリルアミド・メタクリル酸・Ｎ，Ｎ−ジメチルアミノエチル共重合物のグリセロールグリシジルエーテルによる部分架橋物で代表されるような組成物を用い，粒子径を０．０１〜５０μｍとするのが好ましい。
【００３７】
インク化した色素を親水性組成物１の全体に塗布あるいは印刷することにより，色素が体液により湿潤した場合にもブリード（色素が滲み出す現象）が起こらず，色素を耐久性に優れた状態で親水性組成物１に付着させておくことができる。
【００３８】
親水性組成物１は，上述した色素に加えて粘着性を有する親水性ポリマーを含有することが好ましい。親水性ポリマーが粘着性を有する場合，親水性組成物１にホットメルト接着性が付与される。親水性組成物１にホットメルト接着性があれば，ライン上のホットメルト塗工装置によって親水性組成物１を，吸収性組成物の本体に接着することができる。このように，親水性組成物１を吸収性組成物の本体に固着できれば，親水性組成物１が使用時にズレたりよれたりすることを防ぐことができる。これにより，使用者に着用時に不快感を与えることがなくなる。
【００３９】
親水性ポリマーとしては，例えばビニルピロリドンホモポリマー，ポリアミド，ポリビニルアルコールがある。これらの親水性ポリマーは，平均分子量が５００〜３０，０００であることが好ましく，１，０００〜１０，０００であることが更に好ましい。これらの親水性ポリマーは，親水性組成物１の全量に対して２０〜５０重量％含有されることが好ましく，３０〜４０重量％含有されることがさらに好ましい。
【００４０】
親水性組成物１は，酸化防止剤，消臭剤，防腐剤といった他の成分を含有しても良い。これらの成分は，親水性組成物の全量に対して０．５〜５重量％含有されることが好ましく，０．５〜３重量％含有されることが更に好ましい。
【００４１】
親水性組成物１は，着用者から排泄された尿などの体液を吸収できる位置に配置されれば良い。使い捨ておむつの場合，着用者から排泄された尿は，股下部１１に集まるため，親水性組成物１は，股下部１１に配置されることが好ましい。親水性組成物１は，股下部１１に１つ配置されても良く，股下部１１に２つ以上の親水性組成物１が配置されても良い。また，親水性組成物１は，着用者から排泄された尿などの体液の一部を吸収できる位置であれば，前身頃１２又は後身頃１３に配置されても良い。
【００４２】
色素の色相は，吸収性物品の肌当接面側及び肌非当接面側から視認されることが好ましい。色素を含有する親水性組成物１を覆う肌当接面側のシート部材は，光透過性を有するシート材で構成されることが好ましい。親水性組成物１を覆うシート部材を光透過性シート部材で構成することにより，親水性組成物１に色相を吸収性物品の表面から視認することができる。これにより，吸収性物品の肌当接面側から，色素の色相を鮮明に，視認することができる。
【００４３】
また，親水性組成物１が含有する色素の一部を吸収体２０に滲ませて，色素の色相が肌非当接面側から鮮明に視認できるようにしても良い。この場合，吸収体２０の特定の部分に，色素が滲み易い箇所を作ることとしても良い。これにより，吸収性物品の肌非当接面側から，色素の色相を鮮明に，視認することができる。
【００４４】
（２−２．カラーチャート）
カラーチャート２は，色素の色相と比較するための色標本である。カラーチャート２は，６色あるいはそれ以上の色相からなるカラーチャートであり，それぞれの色相部分には対応するｐＨ値が記入されている。
【００４５】
カラーチャート２は，色相を順序立てて一定方向に配列させて表示したものである。カラーチャート２は，色相を円環にして並べ，色相環として表示したものとしても良い。ｐＨ値は，色を塗布した部分に重ねて印字しても良く，色を塗布した部分の近傍に印字しても良い。使用者は，色素を有する親水性組成物１の色相とカラーチャート２の色相を直接比較すればｐＨ値を即時に判別することができる。
【００４６】
カラーチャート２は，吸収性物品のいずれかの場所に印刷されるか，シート状のカラーチャート２が吸収性物品に貼接することによって吸収性物品に備え付けられる。カラーチャート２は，吸収性物品の肌当接面側又は肌非当接面側の表面に印刷されることが好ましい。カラーチャート２が吸収性物品の肌当接面側又は肌非当接面側のいずれか一方に印刷又は貼接される場合，色素の色相を視認できる側の表面にカラーチャート２が印刷又は貼接されることが好ましい。
【００４７】
カラーチャート２は，色素の色相と比較がしやすいように，親水性組成物１の近傍に設けられることが好ましい。例えば，図１及び図２に示されているように，親水性組成物１が，使い捨ておむつの股下部３に配置された場合，カラーチャート２は後身頃１３に配置することができる。カラーチャート２は，左右方向及び上下方向のいずれの方向に配置されても良い。カラーチャート２は，色素の色相と比較がしやすいように，前身頃１２又は後身頃１３の股下部３側に配置されても良い。
カラーチャート２は，前身頃１２又は後身頃１３に限らず，フロントパッチ４０や止着テープ３０といった使い捨ておむつの他の部材に設けても良い。
【００４８】
シート状のカラーチャート２が吸収性物品に貼接される場合，使用者は，シート状のカラーチャート２を吸収性物品の任意の場所に貼接できるようにしても良い。これにより，使用者又は介助者が色素の色相と比較しやすい位置にカラーチャート２を貼接することができる。
【００４９】
図３に示すように，カラーチャート２は，吸収性物品の肌非当接面側に模様や図柄として印刷しても良い。例えば，カラーチャート２は，色相毎に円形で示し，全体で模様となるようにしても良い。カラーチャート２は多色の色相を有するため，肌非当接面側に模様や図柄として印刷することにより，吸収性物品を使用する者の視覚を楽しませることができる。これにより，カラーチャート２は，色素の色相と照合を行う機能を有すると同時に，吸収性物品の模様や図柄としても機能する。
【００５０】
カラーチャート２は，吸収性物品の肌当接面側及び肌非当接面側の両面から視認されるように設けられることが好ましい。カラーチャート２は，肌当接面側及び肌非当接面の表面に印刷又は貼接されることが好ましい。
カラーチャート２は，吸収性物品の肌当接面側及び肌非当接面側の各々のシートに印刷又は貼接されても良い。また，カラーチャート２を，肌当接面側又は肌非当接面側のいずれかのシートに印刷又は貼接して，カラーチャート２を印刷又は貼接していない側から透かして視認できるようにしても良い。この場合，カラーチャート２を覆う肌当接面側及び肌非当接面側のシートは光透過性を有することが好ましい。これにより，カラーチャート２の色相を鮮明に，視認することができる。
【００５１】
カラーチャート２が使い捨ておむつに設けられる場合，カラーチャート２は使用者の尿のｐＨの値を判別することができる。尿の色は，使用者の体調によって変化することがある。カラーチャート２が使い捨ておむつに設けられる場合，使い捨ておむつには，尿の色味を加味した２パターン以上のカラーチャート２が設けられていることが好ましい。例えば，尿の黄色の色味が強い場合，黄色の色味を加味した色見本を有するカラーチャート２を使用することができる。また，尿の黄色の色味が弱い場合，黄色の色味を加味していない色見本を有するカラーチャート２を使用することができる。これにより，使用者の体調によって尿の色が変化した場合であっても，尿のｐＨ値を正確に判別することができる。
【００５２】
（２−３．吸収体）
吸収体２０は，着用者の尿を吸収し保持するための部材である。吸収体２０は，着用者の尿や体液を吸収し保持するために，吸収性材料によって構成される。吸収性材料としては，例えば，フラッフパルプ，高吸水性ポリマー（Ｓｕｐｅｒ  Ａｂｓｏｒｂｅｎｔ  Ｐｏｌｙｍｅｒ；「ＳＡＰ」），親水性シート等を採用することができる。フラッフパルプの例は，木材パルプや非木材パルプを綿状に解繊したものである。高吸水性ポリマーの例は，ポリアクリル酸ナトリウムである。親水性シートとしては，例えば，ティシュ，吸収紙，親水化処理を行った不織布を用いることができる。
【００５３】
吸収体２０は，吸収体トップシート２１と吸収体バックシート２２の間に挟み込まれ，両シートの周縁部が封着されることによって，吸収体トップシート２１と吸収体バックシート２２との間に封入される。吸収体２０の形状は，図示された形状に制限されるものではなく，例えば，矩形状，ひょうたん型，Ｔ字型とすることができる。
【００５４】
吸収体トップシート２１は，吸収体２０の肌当接面側を被覆するように配置される液透過性のシートである。吸収体トップシート２１は，尿などの液体を，その下面側に配置された吸収体２０に浸透させる。
【００５５】
吸収体トップシート２１を構成する液透過性材料として，例えば，織布，不織布，多孔性フィルを採用することができる。特に，ポリプロピレン，ポリエチレン，ポリエステル，ナイロンのような熱可塑性樹脂からなる不織布に親水化処理を施したものを用いることが好ましい。
【００５６】
吸収体トップシート２１は，単一のシート材によって構成されていてもよいが，複数のシート材によって構成されていてもよい。例えば，吸収体の表面部に配置されるシートと，サイドフラップ１５の部分に配置されるシートを組み合わせた構成であってもよい。
【００５７】
吸収体バックシート２２は，吸収体２０を肌非当接面側から被覆するように配置される液不透過性のシートである。吸収体バックシート２２は，吸収体２０により保持されている液体が，おむつ外部に漏洩してしまうことを防止する。
【００５８】
吸収体バックシート２２を構成する液不透過性材料としては，例えば，ポリエチレン等の樹脂からなる液不透過性フィルム等を採用することができる。特に，微多孔性ポリエチレンフィルムを用いることが好ましい。この微多孔性ポリエチレンフィルムは，０．１μｍ程度の微細な孔が多数形成されており，液不透過性ではあるが透湿性を有するためおむつ内部の蒸れを防止することができるという点において好ましい。
【００５９】
また，吸収体バックシート２２の外表面には，吸収体バックシート２２を補強し，その手触りを良くするために，カバーシート２５を貼り合わせることとしてもよい。カバーシート２５を形成する材料としては，例えば，ポリエチレン，ポリプロピレン，ポリエステルのような熱可塑性樹脂からなる不織布，又は湿式不織布を用いることができる。
【００６０】
吸収体バックシート２２及びカバーシート２５は，光透過性を有するシートで構成されることが好ましい。または，吸収体バックシート２２及びカバーシート２５は，透明のシートから構成されても良い。これにより，吸収性物品の肌非当接面側から，色素の色相を鮮明に，視認することができる。
【００６１】
（２−４．保護シート）
本実施形態のテープ型使い捨ておむつ１００は，股下部１１から前身頃１２及び後身頃１３にかけて配置された吸収体２０と，吸収体２０の肌当接面側を覆う吸収体トップシート２１と，吸収体トップシート２１の肌当接面側に積層される保護シート２３を有する。
【００６２】
図４に示されるように，保護シート２３は，吸収体トップシート２１の肌当接面側にさらに設けられるシートである。図４は，図１のＸ−Ｘ線に沿う拡大断面図を示しており，吸収体２０及び吸収体トップシート２１の肌当接面側には，親水性組成物１と保護シート２３が配置されている。
【００６３】
親水性組成物１は，吸収体トップシート２１と保護シート２３の間に配置される。色素を含有する親水性組成物１を保護シート２３と吸収体トップシート２１で挟むように保持することにより，親水性組成物１が使用者の肌に直接触れないようにすることができる。
【００６４】
保護シート２３は，吸収体トップシート２１と親水性組成物１を挟み込む働きをする。保護シート２３は，吸収体トップシート２１の上に貼り合わせても良いし，使い捨ておむつ１００の他の部材に貼り合わせても良い。
また，保護シート２３，吸収体２０及び吸収体トップシート２１の全体を覆うものであっても良いし，吸収体２０及び吸収体トップシート２１の一部に設けられたものであっても良い。
【００６５】
保護シート２３は，親水性組成物１を被覆するように配置される液透過性のシートである。保護シート２３は，尿などの液体を，その下面側に配置された親水性組成物１及び吸収体２０に浸透させる。保護シート２３は，例えば，織布，不織布，多孔性フィルを採用することができる。特に，ポリプロピレン，ポリエチレン，ポリエステル，ナイロンのような熱可塑性樹脂からなる不織布に親水化処理を施したものを用いることが好ましい。
【００６６】
保護シート２３は，保護シート２３のうち，吸収体トップシート側の面が撥水処理されていることが好ましい。撥水処理は保護シートの片面だけに施すことが好ましい。保護シート２３に両面撥水処理を施すことは，保護シート２３を体液が浸透しにくくなり，体液吸収速度を下げることになるため好ましくない。保護シート２３を体液が浸透しにくくなると，使い捨ておむつの場合，体液の漏れの原因となる。
本発明においては，保護シート２３は，保護シート２３の一方の面であって，吸収体トップシート側の面が撥水処理されている。このため，色素が使用者の肌に触れることを効果的に防ぐことができる。また，保護シートを通過する体液の液切れを良好にするため，保護シート上に体液が保持されず，使用者の着用感を向上させることができる。
【００６７】
撥水処理には，保護シート２３を調製後，保護シート２３の一方の面に撥水処理を施す方法を採用しても良いし，またシート状もしくはフィルム状の材料の一方の面に撥水処理を施し，それを裁断し保護シート２３を調製する方法を採用しても良い。
【００６８】
撥水処理方法は特に制限されず，通常の方法を広く採用することができる。具体的には，シリコンオイル，フッ素樹脂，メチルハイドロジェンポリシロキサンといった撥水性処理剤又はこれらの成分を含む油剤を用いる方法を用いることができる。
【産業上の利用可能性】
【００６９】
本発明は，生理用ナプキン，使い捨ておむつ，汗取りパット，尿取りパット，及びおりものシートに適用することができる。
【符号の説明】
【００７０】
１      親水性組成物
２      カラーチャート
１１    股下部
１２    前身頃
１３    後身頃
１５    サイドフラップ
２０    吸収体
２１    吸収体トップシート
２２    吸収体バックシート
２３    保護シート
２５    カバーシート
３０    止着テープ
４０    フロントパッチ
５１    脚部周り伸縮材
５２    腰周り伸縮材
１００  使い捨ておむつ
【図１】
0005982920.tif 000002
【図２】
0005982920.tif 000003
【図３】
0005982920.tif 000004
【図４】
0005982920.tif 000005